(57)【要約】【課題】ラック積重時に求められる脚部の強度と床面接地時に求められる床面を保護する柔軟性とを両立して、折り畳み式ラックを積重した際の強度を確保し、かつ、床面を傷つけることのない折り畳み式ラックを提供する。【解決手段】折り畳み式ラック１は、積重用脚部２１と、積重用脚部２１とは別体として設けられた接地用脚部３１とを有する。積重用脚部２１は、パレット１１から略垂直下方に向けて突出し、当該折り畳み式ラック１を別の折り畳み式ラック１の上部に積重する際に別の折り畳み式ラック１に当接して当該折り畳み式ラック１を支持する。接地用脚部３１は、パレット１１から略垂直下方に向けて突出し、当該折り畳み式ラック１を床面に接地する際に床面に当接して当該折り畳み式ラック１を支持する。【選択図】図１
0003225848.tif 000002
【実用新案登録請求の範囲】
【請求項１】
パレットと前記パレットの側辺に沿って対向して立設される一対の基枠とにより、所望の製品を収容するための物品収容空間が形成される折り畳み式ラックであって、
前記パレットから略垂直下方に向けて突出し、当該折り畳み式ラックを別の折り畳み式ラックの上部に積重する際に前記別の折り畳み式ラックに当接して当該折り畳み式ラックを支持する積重用脚部と、
前記積重用脚部とは別体として設けられた接地用脚部であって、前記パレットから略垂直下方に向けて突出し、当該折り畳み式ラックを床面に接地する際に前記床面に当接して当該折り畳み式ラックを支持する接地用脚部と、
を有することを特徴とする折り畳み式ラック。
【請求項２】
前記パレットから前記接地用脚部の底面までの距離が、前記パレットから前記積重用脚部の底面までの距離よりも大きいことを特徴とする請求項１に記載の折り畳み式ラック。
【請求項３】
前記積重用脚部が前記パレットの四隅に設けられており、前記接地用脚部が前記パレットの四隅に設けられた前記積重用脚部の各々の近傍に設けられていることを特徴とする請求項１または２に記載の折り畳み式ラック。
【請求項４】
前記積重用脚部が、柱状部材と、前記柱状部材の下面に設けられている金属製の段積金具とにより構成されており、
当該折り畳み式ラックを前記別の折り畳み式ラックの上部に積重する際に、前記段積金具が前記別の折り畳み式ラックに当接して当該折り畳み式ラックを支持することを特徴とする請求項１から３のいずれか一項に記載の折り畳み式ラック。
【請求項５】
前記接地用脚部が、柱状部材と、前記柱状部材の下面に設けられている柔軟性を有する緩衝材とにより構成されており、
当該折り畳み式ラックを前記床面に接地する際に、前記緩衝材が前記床面に当接して当該折り畳み式ラックを支持することを特徴とする請求項１から４のいずれか一項に記載の折り畳み式ラック。
【請求項６】
前記一対の基枠が前記パレットに対して略垂直となるように立設された立設形態と、前記一対の基枠が前記パレットと略平行となるように前記パレットの上に折り畳まれた折り畳み形態とに変形できるように構成されており、
前記立設形態とした当該折り畳み式ラックの上部に別の折り畳み式ラックを積重する際に、前記一対の基枠の各々の側辺を構成する支柱部材の上面が、前記別の折り畳み式ラックの前記積重用脚部の底面に当接して前記別の折り畳み式ラックを支持し、
前記折り畳み形態とした当該折り畳み式ラックの上部に別の折り畳み式ラックを積重する際に、前記折り畳み形態において前記パレットの四隅から略垂直上方に突出するコーナー金具の上辺が前記別の折り畳み式ラックの前記積重用脚部の底面に当接して前記別の折り畳み式ラックを支持することを特徴とする請求項１から５のいずれか一項に記載の折り畳み式ラック。
【考案の詳細な説明】
【技術分野】
【０００１】
本考案は、パレットと、パレットの側辺に沿って対向して立設される一対の基枠とにより、所望の製品を収容するための物品収容空間が形成される折り畳み式ラックに関する。
【背景技術】
【０００２】
従来、組み立てた状態または折り畳んだ状態の折り畳み式ラックの上に、別の折り畳みラックを積重（段積み）することができるように構成されている折り畳みラックが知られている。
【０００３】
特許文献１には、異なる長さのロール製品であっても同一のラックで収容を行うことが可能なロール製品用の折り畳み式ラックであって、ロール製品の支持部の変更や調整を作業者一人でも容易に効率良く行えるようにした折り畳み式ラックが開示されている。特許文献１に開示されている折り畳み式ラックは、四脚一組の脚部を有し、脚部の底面は凹形状に形成されている。折り畳み式ラックを組み立てた状態で積重する際には、枠部材の上端を脚部の底面に挿入あるいは係合させて固定し、折り畳み式ラックを折り畳んだ状態で積重する際には、コーナー金具の上部を脚部の底面に挿入あるいは係合させて固定するようになっている。
【０００４】
特許文献２には、剛性が高く強固で物品の搬入および搬出が容易な折り畳み式ラックが開示されている。特許文献２に開示されている折り畳み式ラックは、四脚一組の脚部を有し、脚部の底面は凹形状に形成されている。折り畳み式ラックを折り畳んだ状態で積重する際には、コーナー金具の上部を脚部の底面に嵌合させて固定するようになっている。
【先行技術文献】
【特許文献】
【０００５】
【特許文献１】特開２０１０−１７３６９２号公報
【特許文献２】特開２０１０−１０５６９１号公報
【考案の概要】
【考案が解決しようとする課題】
【０００６】
特許文献１および特許文献２に開示されている折り畳み式ラックでは、積重用脚部と床面に接地する際に使用される床面接地用脚部とが共通であり、積重に必要となる強度を優先して、積重用脚部の底面には強度の高い金属部材が使用されている。しかしながら、クリーンルームの床面や防塵性を高める塗装が施された床面に折り畳み式ラックを載置する場合には、積重用に高い強度を有した脚部は、床面の摩耗、床面における傷の発生や破損の要因となるという問題があった。一方、この問題に対処するために、積重用脚部の底面に柔軟性を有する緩衝材を設ける等の工夫を施すことが考えられるが、底面に緩衝材を設けてしまうと、積重用の高い強度を確保することができなくなってしまうという問題があった。
【０００７】
また、積重用脚部と床面接地用脚部とを共用とした場合に、床面接地時に床面の塵や埃が脚部底面に付着してしまい、塵や埃が底面に付着した状態で積重用脚部として使用すると、脚部底面に付着している塵や埃が、下段のラックに落ちてしまい、下段のラックに収容されている製品の品質劣化をもたらし得るという問題があった。
【０００８】
上記の問題に鑑みて、本考案は、ラック積重時に求められる脚部の強度と床面接地時に求められる床面を保護する柔軟性とを両立して、折り畳み式ラックを積重した際の強度を確保し、かつ、床面を傷つけることのない折り畳み式ラックを提供することを目的とする。
【課題を解決するための手段】
【０００９】
上記の目的を達成するため、本考案に係る折り畳み式ラックは、パレットと前記パレットの側辺に沿って対向して立設される一対の基枠とにより、所望の製品を収容するための物品収容空間が形成される折り畳み式ラックであって、
前記パレットから略垂直下方に向けて突出し、当該折り畳み式ラックを別の折り畳み式ラックの上部に積重する際に前記別の折り畳み式ラックに当接して当該折り畳み式ラックを支持する積重用脚部と、
前記積重用脚部とは別体として設けられた接地用脚部であって、前記パレットから略垂直下方に向けて突出し、当該折り畳み式ラックを床面に接地する際に前記床面に当接して当該折り畳み式ラックを支持する接地用脚部と、
を有することを特徴とする。
【００１０】
この構成により、折り畳み式ラックを別の折り畳み式ラックに積重する際に使用する積重用脚部と、当該折り畳み式ラックを床面に接地する際に使用する接地用脚部とを別体として設けることで、ラック積重時に求められる脚部の強度と床面接地時に求められる床面を保護する柔軟性とを両立することができる。その結果、折り畳み式ラックを積重した際の強度を確保し、かつ、床面を傷つけることのない折り畳み式ラックを実現することができる。
【００１１】
また、本考案に係る折り畳み式ラックは、上記の構成に加えて、前記パレットから前記接地用脚部の底面までの距離が、前記パレットから前記積重用脚部の底面までの距離よりも大きくてもよい。
【００１２】
この構成により、接地用脚部が床面に接地した場合に、積重用脚部の底面が床面から離隔して浮いた状態とすることができ、積重用脚部により床面を傷つけることなく接地用脚部で折り畳み式ラックを支持することができる。
【００１３】
また、本考案に係る折り畳み式ラックは、上記の構成に加えて、前記積重用脚部が前記パレットの四隅に設けられており、前記接地用脚部が前記パレットの四隅に設けられた前記積重用脚部の各々の近傍に設けられていてもよい。
【００１４】
この構成により、パレットの四隅の各々に位置するように四脚の積重用脚部を設けるとともに、パレットの四隅の近傍に四脚の接地用脚部を設けることができ、積重時および床面接地時の両方において折り畳み式ラックを確実に支持する構成を実現することができる。
【００１５】
また、本考案に係る折り畳み式ラックは、上記の構成に加えて、前記積重用脚部が、柱状部材と、前記柱状部材の下面に設けられている金属製の段積金具とにより構成されており、
当該折り畳み式ラックを前記別の折り畳み式ラックの上部に積重する際に、前記段積金具が前記別の折り畳み式ラックに当接して当該折り畳み式ラックを支持してもよい。
【００１６】
この構成により、積重上段の折り畳み式ラックの積重用脚部の底面に設けられている耐荷重性を有する金属製の段積金具が積重下段の折り畳み式ラックに当接することで、積重用脚部を使用した折り畳み式ラックの段積みが実現でき、積重時に求められる積重強度が確保できる。
【００１７】
また、本考案に係る折り畳み式ラックは、上記の構成に加えて、前記接地用脚部が、柱状部材と、前記柱状部材の下面に設けられている柔軟性を有する緩衝材とにより構成されており、
当該折り畳み式ラックを前記床面に接地する際に、前記緩衝材が前記床面に当接して当該折り畳み式ラックを支持してもよい。
【００１８】
この構成により、折り畳み式ラックの接地用脚部の底面に設けられている柔軟性を有する緩衝材が床面に当接することで、接地用脚部を使用した折り畳み式ラックの床面への載置が実現でき、床面接地時に求められる床面の保護が実現できる。
【００１９】
また、本考案に係る折り畳み式ラックは、上記の構成に加えて、前記一対の基枠が前記パレットに対して略垂直となるように立設された立設形態と、前記一対の基枠が前記パレットと略平行となるように前記パレットの上に折り畳まれた折り畳み形態とに変形できるように構成されており、
前記立設形態とした当該折り畳み式ラックの上部に別の折り畳み式ラックを積重する際に、前記一対の基枠の各々の側辺を構成する支柱部材の上面が、前記別の折り畳み式ラックの前記積重用脚部の底面に当接して前記別の折り畳み式ラックを支持し、
前記折り畳み形態とした当該折り畳み式ラックの上部に別の折り畳み式ラックを積重する際に、前記折り畳み形態において前記パレットの四隅から略垂直上方に突出するコーナー金具の上辺が前記別の折り畳み式ラックの前記積重用脚部の底面に当接して前記別の折り畳み式ラックを支持してもよい。
【００２０】
この構成により、積重下段の折り畳み式ラックを折り畳み形態とした場合であっても立設形態とした場合であっても、積重用脚部を使用した折り畳み式ラックの段積みが実現でき、積重時に求められる積重強度が確保できる。
【考案の効果】
【００２１】
本考案によれば、ラック積重時に求められる脚部の強度と床面接地時に求められる床面を保護する柔軟性とを両立して、折り畳み式ラックを積重した際の強度を確保し、かつ、床面を傷つけることのない折り畳み式ラックを提供することができる。
【図面の簡単な説明】
【００２２】
【図１】本考案の一実施形態における折り畳み式ラックの一例を示す斜視図である。
【図２】本考案の一実施形態における折り畳み式ラックの積重用脚部および接地用脚部近傍の部分拡大図である。
【図３】本考案の一実施形態における折り畳み形態の折り畳み式ラックを積重した状態を模式的に示す正面図である。
【図４】本考案の一実施形態における立設形態の折り畳み式ラックを積重した状態を模式的に示す正面図である。
【図５】本考案の一実施形態における立設形態の折り畳み式ラックを積重した状態を模式的に示す別の正面図である。
【図６】本考案の一実施形態における立設形態の折り畳み式ラックの一例を示す正面図である。
【図７】図６の折り畳み式ラック（ただし、基枠およびコーナー金具を取り除いた状態）を模式的に示す平面図である。
【図８】図６の折り畳み式ラックを模式的に示す側面図である。
【考案を実施するための形態】
【００２３】
以下、図面を参照しながら、本考案の一実施形態について説明する。
【００２４】
本実施形態における折り畳み式ラックは、所望の物品を収容して搬送および保管等を行うためのラックであり、同一構成の折り畳み式ラックを積重（段積み）する際に使用される積重用脚部と、折り畳み式ラックを床面に載置する際に使用される接地用脚部とが別体で設けられており、これにより、ラック積重強度の確保と床面の保護の両方を実現できるように構成されている。
【００２５】
なお、本明細書では、折り畳み式ラックに収容する物品として、例えば金属シリンダーを想定しているが、折り畳み式ラックに収容可能な物品はこれに限定されるものではない。
【００２６】
本実施形態における折り畳み式ラックの構成について、図１〜図８を参照しながら説明する。図１は、本考案の一実施形態における折り畳み式ラックの一例を示す斜視図である。図２は、本考案の一実施形態における折り畳み式ラックの積重用脚部および接地用脚部近傍の部分拡大図である。図３は、本考案の一実施形態における折り畳み形態の折り畳み式ラックを積重した状態を模式的に示す正面図である。図４は、本考案の一実施形態における立設形態の折り畳み式ラック（３つの金属シリンダーを収容）を積重した状態を模式的に示す正面図である。図５は、本考案の一実施形態における立設形態の折り畳み式ラック（５つの金属シリンダーを収容）を積重した状態を模式的に示す別の正面図である。図６は、本考案の一実施形態における立設形態の折り畳み式ラック（７つの金属シリンダーを収容）の一例を示す正面図である。図７は、図６の折り畳み式ラック（ただし、基枠およびコーナー金具を取り除いた状態）を模式的に示す平面図である。図８は、図６の折り畳み式ラックを模式的に示す側面図である。なお、図４〜図８では、折り畳み式ラックに収容されている金属シリンダーの輪郭が二点鎖線で表されている。
【００２７】
図１〜図８に示すように、本実施形態における折り畳み式ラック（以下、単にラックと記載）１は、パレット１１、積重用脚部２１、接地用脚部３１、コーナー金具４１、底板５１、基枠６１により概略構成されている。以下、上記の構成要素およびその他の詳細な構成要素について説明する。
【００２８】
パレット１１の構成について説明する。
【００２９】
パレット１１は、ラック１の基台であって、フォークリフト等による荷役作業が可能な運搬台である。パレット１１の素材は特に限定されるものではないが、例えば樹脂やスチール等を用いることができ、特にラック１内に高重量の製品を収容することが想定される場合には、強度の高いスチールを用いることが好ましい。本実施形態では、パレット１１は、パレット１１の外枠を画定する４つの側辺部材１２と、側辺部材１２の内側に格子状に組まれた複数の補強部材１３とが溶接等によって連結されているが、この構成に限定されるものではない。また、本実施形態では、パレット１１は、４つの側辺部材１２により画定される外枠が長方形形状を有しているが、例えば正方形形状またはその他の形状であってもよい。
【００３０】
なお、ラック１を床面に載置した際には、後述するように接地用脚部３１でラック１を支持するため、パレット１１を構成する任意の部材は、接地用脚部３１の底面（接地面）より上方に位置するように構成されている。
【００３１】
また、パレット１１の対面する側辺部材１２には、ゴムベルト留め具１４が対となって対向配置されている。ゴムベルト留め具１４は、例えば、所定の距離だけ離隔して配列された小さな板状部材の間に棒状部材が接続された構成を有しており、パレット１１の側辺部材１２に溶接等により固定されている。ゴムベルト留め具１４にゴムベルト１０１を固定する際には、例えばゴムベルト１０１の端部に設けられた金属フックをゴムベルト留め具１４の棒状部材に掛止させるようになっている。なお、本実施形態では、ラック１に三対（合計６箇所）のゴムベルト留め具１４が設けられているが、ゴムベルト留め具１４の数はこれに限定されるものではない。
【００３２】
積重用脚部２１の構成について説明する。
【００３３】
パレット１１の四隅には、パレット１１から略垂直下方に向けて突出するように積重用脚部２１が設けられている。
【００３４】
積重用脚部２１は、柱状部材２２および段積金具２３により構成されている。
【００３５】
柱状部材２２は、パレット１１の四隅下側に溶接やネジ止め等により接合されている。段積金具２３は、柱状部材２２の下面に接合されており、その底面は下方に向かって開口する凹形状に形成されている。段積金具２３は、ラック１を積重した際に生じる荷重に対する強度を持った金属からなる。
【００３６】
段積金具２３の底面の凹形状は、基枠６１の両端に配置されている支柱部材６２の上面の形状に対応するように形成されている。この構成により、図４〜図６に示されているように、基枠６１が立設された状態（立設形態）のラック１を下段として、このラック１の四隅に立設された支柱部材６２の上面に、別のラック１の積重用脚部２１の段積金具２３の底面を挿入して係合させることで、別のラック１を上段として積み重ねることができるようになっている。上段のラック１の段積金具２３の凹形状の底面が下段のラック１の支柱部材６２の上面に係合することで、特に水平方向へのずれが生じず、安定したラック１の積重が実現される。なお、このとき、上段のラック１の接地用脚部３１は使用されず、上段のラック１の接地用脚部３１の底面はどの部材にも接触しない状態となる。
【００３７】
また、段積金具２３の底面の凹形状は、コーナー金具４１の上辺の形状にも対応するように形成されている。この構成により、図３に示されているように、基枠６１が折り畳まれた状態（折り畳み形態）のラック１を下段として、このラック１の四隅に突出したコーナー金具４１の上辺に、別のラック１の積重用脚部２１の段積金具２３の底面を挿入して係合させることで、別のラック１を上段として積み重ねることができるようになっている。上段のラック１の段積金具２３の凹形状の底面が下段のラック１のコーナー金具４１の上辺に係合することで、特に水平方向へのずれが生じず、安定したラック１の積重が実現される。なお、このとき、上段のラック１の接地用脚部３１は使用されず、上段のラック１の接地用脚部３１の底面はどの部材にも接触しない状態となる。
【００３８】
接地用脚部３１の構成について説明する。
【００３９】
パレット１１の四隅に設けられた積重用脚部２１の近傍には、パレット１１から略垂直下方に向けて突出するように接地用脚部３１が設けられている。
【００４０】
接地用脚部３１は、柱状部材３２および緩衝材３３により構成されている。
【００４１】
柱状部材３２は、パレット１１の四隅近傍下側に溶接やネジ止め等により接合されている。緩衝材３３は、例えばゴム、ナイロン、ウレタン等の柔軟性や衝撃吸収性を有する素材からなり、柱状部材３２の下面に貼付されている。
【００４２】
本実施形態では、パレット１１は長方形形状を有しており、パレット１１の長手方向に延在する側辺部材１２の下側に接地用脚部３１を設けることで、ラック１を安定して支持することができる。
【００４３】
なお、積重用脚部２１および接地用脚部３１を設ける位置および個数は、特に限定されるものではなく、積重時および床面接地時にラック１を安定して支持することができるのであれば、任意の位置および任意の個数であってもよい。
【００４４】
積重用脚部２１および接地用脚部３１は共にパレット１１の下側に突出した構成を有しているが、接地用脚部３１のほうが積重用脚部２１に比べて、より突出した構成を有している。すなわち、接地用脚部３１の底面は、積重用脚部２１の底面に比べてより下方に位置しており、ラック１を床面（水平面）に載置した場合には、接地用脚部３１が床面と接触してラック１を支持し、一方、積重用脚部２１の底面は床面から離隔して宙に浮いた状態となるように構成されている。
【００４５】
本実施形態では、ラック１の自重は約１００ｋｇ近くあり、ラック１に収容する物品（金属シリンダー１００）の重量は最大９００ｋｇを想定している。また、積重用脚部２１の段積金具２３は、一辺が９ｃｍの断面正方形であり、接地用脚部３１の底面は一辺が１０ｃｍの断面正方形であり、積重用脚部２１の底面は、接地用脚部３１の底面よりも２．５ｃｍ浮いた位置となるよう設計されている。ただし、これらの重量および寸法はいずれも一例に過ぎず、本考案を限定するものではない。
【００４６】
コーナー金具４１の構成について説明する。
【００４７】
パレット１１の四隅の各々には、コーナー金具４１が設置されている。コーナー金具４１は、例えばスチール製の平板部材を断面Ｌ字形状に折り曲げて形成されており、パレット１１の四隅の側面に沿って溶接等により固定されている。
【００４８】
コーナー金具４１の断面Ｌ字形状を形成する２つの面は、パレット１１の上面よりも上方に突出しており、パレット１１の隣接する隅部に設けられたコーナー金具４１の面同士が対向するように配置されている。本実施形態では、パレット１１の幅方向（短手方向）の側辺に沿って基枠６１が立設され、パレット１１の幅方向の両端部に配置されているコーナー金具４１の上方に突出した断面Ｌ字形状を形成する２つの面の内側が、基枠６１の支柱部材６２に当接して、立設した基枠６１を支持できるようになっている。なお、パレット１１の幅方向に展延するコーナー金具４１の面は、基枠６１の支柱部材６２が略鉛直に立設した状態よりも外側に移動しないように規制する役割を有しており、これにより、基枠６１が外側に倒れないようになっている。
【００４９】
また、コーナー金具４１および基枠６１には、パレット１１の幅方向を回転軸方向として、コーナー金具４１に対して基枠６１を回転可能とする回転機構が設けられている。具体的には、本実施形態では、パレット１１の長手方向に展延するコーナー金具４１の面には、例えば回転ピン用縦孔４２が形成されており、一方、後述するように、基枠６１を構成する支柱部材６２には、回転ピン用縦孔４２に対応する位置に回転ピン６５が設けられている。回転ピン用縦孔４２に挿通した回転ピン６５を回転軸として、パレット１１に対して基枠６１を回転させることで、ラック１の形状を、基枠６１を立設した立設形態、または、基枠６１を折り畳んで収容した折り畳み形態にすることができる。
【００５０】
さらに、コーナー金具４１および基枠６１には、コーナー金具４１に対して基枠６１を固定可能とする固定機構が設けられている。具体的には、本実施形態では、コーナー金具４１の上辺に切り欠き部４４が設けられており、一方、後述するように、支柱部材６２の外側面には、基枠６１の立設時に、支柱部材６２をコーナー金具４１に固定するためのストッパピン６６が設けられている。切り欠き部４４にストッパピン６６が嵌合することで、基枠６１の支柱部材６２がコーナー金具４１に固定され、基枠６１を立設した立設形態を維持できるようになっている。
【００５１】
また、パレット１１の長手方向の側辺には、製品ストッパ部材４３が設けられている。製品ストッパ部材４３は、長手方向に延びる平板部材であり、その板面がラック１内に収容される製品を向くように配置されており、その両端部がコーナー金具４１に溶接等により固定されている。
【００５２】
製品ストッパ部材４３は、ラック１内に収容された製品がパレット１１の長手方向の側辺から外に飛び出さないようにするストッパとしての役割を有している。さらに、製品ストッパ部材４３は、ラック１の長手方向に対する強度を向上させる補強部材としての役割も有している。
【００５３】
底板５１の構成について説明する。
【００５４】
底板５１は、パレット１１の上面の外枠内部に載置され、基枠６１を立設した状態で形成される物品収容空間の下面を規定する板状部材である。底板５１には、例えばプラスチック製ダンボール（プラダンと略されることがある）等が用いられるが、その素材は特に限定されるものではない。
【００５５】
基枠６１の構成について説明する。
【００５６】
本実施形態におけるラック１では、一対の基枠６１がパレット１１の側辺に沿って対向して立設可能なように構成されている。基枠６１は、パレット１１の幅方向の各側辺上部に立設される。基枠６１は、左右一対の支柱部材６２と、上下一対の支柱連結部材６３と、枠組み強度を補強する連結部材６４とにより概略構成されており、これらの部材が組み合わされて、全体として板状の枠組みが形成されている。これらの各部材は溶接によって一体に連結されている。これらの各部材には、例えばスチール等が用いられるが、その素材は特に限定されるものではない。
【００５７】
一対の支柱部材６２は、基枠６１の両側辺を構成する棒状部材であり、例えば、角筒形状の棒状部材を用いることができる。支柱部材６２は、基枠６１を立設した状態において、パレット１１の上面に対して略垂直に立設される。このとき、コーナー金具４１の上方に突出した２つの面の内側が基枠６１の支柱部材６２に当接して、立設した基枠６１を支持できるようになっている。
【００５８】
支柱連結部材６３は、左右一対の支柱部材６２を連結する部材である。支柱連結部材６３の長手方向側端部は、一対の支柱部材６２の各々と略垂直に接合されており、一対の支柱部材６２は、支柱連結部材６３による接合を介して一体化されている。支柱連結部材６３の寸法によって規定される基枠６１の幅方向の寸法は、一対の支柱部材６２の各々が略Ｌ字形状のコーナー金具４１の２つの面に当接する寸法となっている。すなわち、基枠６１は、パレット１１の幅方向の側辺上部に立設された際に、その両端部に配置されている支柱部材６２の側面がコーナー金具４１の内側の面に当接した状態で立設できるようになっている。
【００５９】
連結部材６４は、上下２つの支柱連結部材６３と幅方向中央部で略垂直に接合されており、基枠６１の枠組みを補強する役割を有している。なお、本実施形態では、３つの連結部材６４が上下２つの支柱連結部材６３に連結されているが、この構成に限定されるものではない。
【００６０】
また、コーナー金具４１および基枠６１には、パレット１１の幅方向を回転軸方向として、コーナー金具４１に対して基枠６１を回転可能とする回転機構が設けられている。具体的には、基枠６１を構成する支柱部材６２には回転ピン６５が設けられており、一方、前述したように、パレット１１の長手方向に展延するコーナー金具４１の面には、回転ピン６５に対応する位置に回転ピン用縦孔４２が形成されている。
【００６１】
回転ピン６５は、支柱部材６２の外側面からパレット１１の幅方向に突出するように設けられている。回転ピン６５は、コーナー金具４１の回転ピン用縦孔４２に挿通するように嵌め込まれている。回転ピン６５は、回転ピン用縦孔４２に嵌め込まれた状態で、回転ピン用縦孔４２内を上下方向に移動でき、かつ、回転できるようになっている。
【００６２】
さらに、コーナー金具４１および基枠６１には、コーナー金具４１に対して基枠６１を固定可能とする固定機構が設けられている。具体的には、本実施形態では、支柱部材６２の外側面には、基枠６１の立設時に、支柱部材６２をコーナー金具４１に固定するためのストッパピン６６が設けられており、一方、前述したように、コーナー金具４１の上辺には切り欠き部４４が設けられている。
【００６３】
ストッパピン６６は、例えば支柱部材６２の所定位置に設けられており、上方で支柱部材６２に連結され、下方が解放されて隙間が形成されている略Ｌ字形状の部材である。立設した支柱部材６２を下方に移動させると、コーナー金具４１の上辺の切り欠き部４４にストッパピン６６が嵌合して支柱部材６２とコーナー金具４１とが固定されるようになっている。これにより、基枠６１を立設した立設形態が維持される。
【００６４】
一方、ストッパピン６６の開口がコーナー金具４１の上辺の切り欠き部４４に嵌合した状態から支柱部材６２を上方に移動させると、コーナー金具４１の上辺の切り欠き部４４とストッパピン６６の開口との嵌合が外れ、支柱部材６２とコーナー金具４１との固定が解除されて、基枠６１は回転ピン６５を回転軸として回転できるようになっている。これにより、基枠６１をパレット１１の上面と重なるような方向に回転させて基枠６１全体をパレット１１の上面に配置することで、基枠６１がパレット１１と略平行となるように折り畳んでパレット１１に収容した折り畳み形態とすることができる。
【００６５】
次に、作用について説明する。
【００６６】
本考案に係る折り畳み式ラック１では、パレット１１と、パレット１１の側辺に沿って対向して立設される一対の基枠６１とにより、所望の製品を収容するための物品収容空間が形成される。折り畳み式ラック１は、積重用脚部２１と、積重用脚部２１とは別体として設けられた接地用脚部３１とを有する。積重用脚部２１は、パレット１１から略垂直下方に向けて突出した構成を有しており、当該折り畳み式ラック１を別の折り畳み式ラック１の上部に積重する際に別の折り畳み式ラック１に当接して当該折り畳み式ラック１を支持するために用いられる。一方、接地用脚部３１も積重用脚部２１と同様にパレット１１から略垂直下方に向けて突出した構成を有しているが、接地用脚部３１は、当該折り畳み式ラック１を床面に接地する際に床面に当接して当該折り畳み式ラック１を支持するために用いられる。
【００６７】
この構成により、積重時に求められる脚部の強度と床面接地時に求められる床面を保護する柔軟性とを両立することができ、積重強度を確保しながら、床面を傷つけることのない折り畳み式ラック１を実現することができる。また、積重用脚部２１は、積重用に使用されるものであって、接地用脚部３１を使用した床面接地時には床面に触れることはないことから、積重用脚部２１の底面が床面を傷つけることはなく、積重用脚部２１の底面に床面の塵や埃が付着するおそれもない。さらに、接地用脚部３１は、床面接地用に使用されるものであって、積重用脚部２１を使用した積重時には接地用脚部３１に荷重がかかることはなく、仮に接地用脚部３１を積重用に使用した場合に生じ得る強度不足を心配する必要はない。
【００６８】
また、本考案に係る折り畳み式ラック１では、パレット１１から接地用脚部３１の底面までの距離が、パレット１１から積重用脚部２１の底面までの距離よりも大きくなるようにすることができる。
【００６９】
この構成により、接地用脚部３１を使用して床面に接地した場合に、積重用脚部２１の底面が床面から離隔して浮いた状態とすることができ、積重用脚部２１により床面を傷つけることなく接地用脚部３１で折り畳み式ラック１を支持することができる。
【００７０】
また、本考案に係る折り畳み式ラック１では、積重用脚部２１がパレット１１の四隅に設けられており、接地用脚部３１がパレット１１の四隅に設けられた積重用脚部２１の各々の近傍に設けられるようにすることができる。
【００７１】
この構成により、パレット１１の四隅の各々に位置するように四脚の積重用脚部２１を設けるとともに、パレット１１の四隅の近傍に四脚の接地用脚部３１を設けることができ、積重時および床面接地時の両方において折り畳み式ラック１を確実に支持する構成を実現することができる。
【００７２】
また、本考案に係る折り畳み式ラック１では、積重用脚部２１が、柱状部材２２と、柱状部材２２の下面に設けられている金属製の段積金具２３とにより構成されており、
当該折り畳み式ラック（上段のラック）１を別の折り畳み式ラック（下段のラック）１の上部に積重する際に、段積金具２３が別の折り畳み式ラック（下段のラック）１に当接して当該折り畳み式ラック（上段のラック）１を支持することができる。
【００７３】
この構成により、積重上段の折り畳み式ラック１の積重用脚部２１の底面に設けられている耐荷重性を有する金属製の段積金具２３が積重下段の折り畳み式ラック１に当接することで、積重用脚部２１を使用した折り畳み式ラック１の段積みが実現でき、積重時に求められる積重強度が確保できる。
【００７４】
また、本考案に係る折り畳み式ラック１では、接地用脚部３１が、柱状部材３２と、柱状部材３２の下面に設けられている柔軟性を有する緩衝材３３とにより構成されており、
当該折り畳み式ラック１を床面に接地する際に、緩衝材３３が床面に当接して当該折り畳み式ラック１を支持することができる。
【００７５】
この構成により、折り畳み式ラック１の接地用脚部３１の底面に設けられている柔軟性を有する緩衝材３３が床面に当接することで、接地用脚部３１を使用した折り畳み式ラック１の床面への載置が実現でき、床面接地時に求められる床面の保護が実現できる。
【００７６】
また、本考案に係る折り畳み式ラック１では、一対の基枠６１がパレット１１に対して略垂直となるように立設された立設形態と、一対の基枠６１がパレット１１と略平行となるようにパレット１１の上に折り畳まれた折り畳み形態とに変形できるように構成されており、
立設形態とした当該折り畳み式ラック（下段のラック）１の上部に別の折り畳み式ラック（上段のラック）１を積重する際に、立設形態においてパレット１１の四隅に立設された支柱部材６２の上面が、別の折り畳み式ラック（上段のラック）１の積重用脚部２１の底面に当接して別の折り畳み式ラック（上段のラック）１を支持し、
折り畳み形態とした当該折り畳み式ラック（下段のラック）１の上部に別の折り畳み式ラック（上段のラック）１を積重する際に、折り畳み形態においてパレット１１の四隅から略垂直上方に突出するコーナー金具４１の上辺が別の折り畳み式ラック（上段のラック）１の積重用脚部２１の底面に当接して別の折り畳み式ラック（上段のラック）１を支持することができる。
【００７７】
この構成により、積重下段の折り畳み式ラック１を折り畳み形態とした場合であっても立設形態とした場合であっても、積重用脚部２１を使用した折り畳み式ラック１の段積みが実現でき、積重時に求められる積重強度が確保できる。
【００７８】
以上説明した実施形態は、本考案の理解を容易にするために記載されたものであって、本考案を限定するために記載されたものではない。上述した実施形態に開示された各構成要素は、本考案の技術的範囲に属するすべての設計変更や均等物を包含する。
【符号の説明】
【００７９】
１  折り畳み式ラック（ラック）
１１  パレット
１２  側辺部材
１３  補強部材
１４  ゴムベルト留め具
２１  積重用脚部
２２  柱状部材
２３  段積金具
３１  接地用脚部
３２  柱状部材
３３  緩衝材
４１  コーナー金具
４２  回転ピン用縦孔
４３  製品ストッパ部材
４４  切り欠き部
５１  底板
６１  基枠
６２  支柱部材
６３  支柱連結部材
６４  連結部材
６５  回転ピン
６６  ストッパピン
１００  金属シリンダー
１０１  ゴムベルト
【図１】
0003225848.tif 000003
【図２】
0003225848.tif 000004
【図３】
0003225848.tif 000005
【図４】
0003225848.tif 000006
【図５】
0003225848.tif 000007
【図６】
0003225848.tif 000008
【図７】
0003225848.tif 000009
【図８】
0003225848.tif 000010